(57)【特許請求の範囲】
【請求項１】
ねじ桿と、ねじ桿の下部外周に上下移動自在に螺着した横架材取付用のナットと、上記ナットの外周に設けた取付部材と、ねじ桿の上部外周に上記ナットの上方において当該ナットと対向しながら上下移動自在に螺着した位置決めナットとからなり、上記ナットは当該ナットの上下動に伴って上記取付部に結合した横架材の高さを調整し、上記位置決めナットは当該位置決めナットの上下動に伴って上記ねじ桿に対してこのねじ桿の上端部に差し込んだ支柱の高さを調整することを特徴とするジャッキ。
【請求項２】
ねじ桿と、ねじ桿の上部外周に上下移動自在に螺着した横架材取付用のナットと、上記ナットの外周に設けた取付部材と、ねじ桿の上部外周に上記ナットの下方において当該ナットと対向しながら上下移動自在に螺着した位置決めナットとからなり、上記ナットは当該ナットの上下動に伴って上記取付部に結合した横架材の高さを調整し、上記位置決めナットは当該位置決めナットの上下動に伴って上記ねじ桿の下端部に差し込んだ支柱に対して上記 ねじ桿の高さを調整することを特徴とするジャッキ。
【請求項３】
取付部材が円周方向に沿って多数の取付孔又は環状の蟻溝を形成した円盤状フランジからなる請求項１または２のジャッキ。
【請求項４】
取付部材が円周方向に沿って隔設された複数のソケットからなる請求項１または２のジャッキ。
【請求項５】
取付部材の外周に水平方向に向けてハンドルが設けられている請求項１、２又は３のジャッキ。
【請求項６】
ねじ桿の上端に大引き受けを設けている請求項２、３、４又は５のジャッキ。
【発明の詳細な説明】
【０００１】
【発明の属する技術分野】
本発明は枠組足場の下端に設けられて当該枠組足場を支えながら高さ調整をするねじ式ジャッキ、あるいは支保工の下端と上端に設けられて当該支保工を支えながら高さ調整したり、支保工が支える大引きの支持と高さ調整を行なうねじ式ジャッキに関する。
【０００２】
【従来の技術】
一般に、建築用，土木工事用枠組足場では、この枠組足場の下端にねじ式ジャッキを設けて枠組足場を構成するパイプ支柱を支えながらその高さを調整している。
【０００３】
同じく建築，土木工事現場では、上記の重量物を根太材，大引き等を介して支保工が支えており、この支保工の上端と下端にはねじ式ジャッキが設けられ、上方のジャッキが大引きを支えながら大引きの高さを調整し、下方のジャッキが支保工を構成するパイプ支柱を支えながら、その高さを調整している。
【０００４】
例えば上記従来のねじ式ジャッキ１は、図６に示すように、ベースプレート２と、ベースプレート２の中央に起立するねじ桿３と、ねじ桿３の外周に上下移動自在に螺着したナット４と、ナット４の外周に設けた回転操作用ハンドル５とからなるものである。
【０００５】
上記ジャッキ１を例えば枠組足場又は支保工を構成する支柱６の下端に設置する場合には、地上の土台７にベースプレート２を止め具８で固定し、ねじ桿３の上部に挿入された支柱６の下端をナット４の上面で担持させ、ナット４をハンドル５で回動することにより支柱６の高さを調整させている。
【０００６】
他方、枠組足場や支保工では上方からの荷重が各支柱６に作用し、この荷重によって支柱６が単独で、又は全体が横方向に滑動したり、偏荷重で変形したりするおそれがあるので、これらの不具合を防止するために、支柱６，６同志を横架材９で支えている。
【０００７】
横架材９を支柱６，６間に架設する場合には、各支柱６，６の下部にクランプ１０を取付け、このクランプ１０を介して横方向に横架材９を取付けている。
【０００８】
【発明が解決しょうとする課題】
上記従来のジャッキは機能上欠陥がある分けではないが、次のような改善が望まれている。
【０００９】
第１に、枠組足場や支保工を構成する支柱６の動きを規制して安定化させるには、横架材９の架設位置は出来るだけ荷重受点である地上近くが好ましく、従って横架材９は支柱６の下部より更に下方のねじ桿３の下方に取付けた方が好ましい。
【００１０】
しかし、クランプ１０の径は、普通支柱６の外径に対応して成形されているのが一般的であってねじ桿３の外径には適合していないため、このクランプ１０を介して横架材９をねじ桿３に取付けることができず、どうしても図６のように支柱６に横架材９を取付けざるを得ないのが現状であって、その改善が望まれている。
【００１１】
第２に、支柱６にクランプ１０を介して横架材９を取付ける場合においても、クランプ１０の横架材９の取付部は支柱６の外面より外方に突出しているから、支柱６の軸芯と横架材９の軸芯とが直交せず、偏荷重が作用した時支柱６や横架材９がゆがんだり、変形するおそれがあり、その改善が望まれている。
【００１２】
そこで、本発明の目的は、横架材をねじ桿の任意の位置に架設でき、しかもこの横架材の軸芯とねじ桿及びねじ桿に挿入した支柱の軸芯とを直交できるようにしたジャッキを提供することである。
【００１３】
【課題を解決するための手段】
上記の目的を達成するため、本発明一つの手段は、ねじ桿と、ねじ桿の下部外周に上下移動自在に螺着した横架材取付用のナットと、上記ナットの外周に設けた取付部材と、ねじ桿の上部外周に上記ナットの上方において当該ナットと対向しながら上下移動自在に螺着した位置決めナットとからなり、上記ナットは当該ナットの上下動に伴って上記取付部に結合した横架材の高さを調整し、上記位置決めナットは当該位置決めナットの上下動に伴って上記ねじ桿に対してこのねじ桿の上端部に差し込んだパイプ支柱の高さを調整することを特徴とする。
同じく、他の手段は、ねじ桿と、ねじ桿の上部外周に上下移動自在に螺着した横架材取付用のナットと、上記ナットの外周に設けた取付部材と、ねじ桿の上部外周に上記ナットの下方において当該ナットと対向しながら上下移動自在に螺着した位置決めナットとからなり、上記ナットは当該ナットの上下動に伴って上記取付部に結合した横架材の高さを調整し、上記位置決めナットは当該位置決めナットの上下動に伴って上記ねじ桿の下端部に差し込んだパイプ支柱に対して上記 ねじ桿の高さを調整することを特徴とする。
【００１４】
この場合、取付部材が円周方向に沿って多数の取付孔又は環状の蟻溝を形成した円盤状フランジからなるのが好ましい。
【００１５】
同じく、取付部材が円周方向に沿って隔設された複数のソケットからなるものであってもよい。
【００１６】
更に、取付部材の外周に水平方向に向けてハンドルが設けられているのが好ましい。
【００１７】
上記の場合、ねじ桿の下端にベースプレートが設けられ、ねじ桿の上部に当該ねじ桿の上方に挿入されたパイプ支柱の高さを調整する位置決めナットが上下移動自在に螺着されているのが好ましい。
【００１８】
同じく、ねじ桿の上端に大引き受けを設け、ねじ桿の下部に当該ねじ桿の下方に挿入されたパイプ支柱に対するねじ桿の高さを調整する位置決めナットが上下移動自在に螺着されているようにしてもよい。
【００１９】
【発明の実施の形態】
以下、本発明の実施の形態を図にもとづいて説明する。
【００２０】
図１に示すジャッキは、ねじ桿１２と、ねじ桿１２の下部外周に上下移動自在に螺着した横架材取付用のナット１３と、上記ナット１３の外周に設けた取付部材１４と、ねじ桿１２の上部外周に上記ナット１３の上方において当該ナット１３と対向しながら上下移動自在に螺着した位置決めナット２５とからなり、上記ナット13は当該ナット13の上下動に伴って上記取付部14に結合した横架材18の高さを調整し、上記位置決めナット25は当該位置決めナット25の上下動に伴って上記ねじ桿12に対してこのねじ桿12の上端部に差し込んだパイプ支柱１５の高さを調整するものである。
同じく、図２に示すジャッキは、ねじ桿１２と、ねじ桿１２の上部外周に上下移動自在に螺着した横架材取付用のナット１３と、上記ナット１３の外周に設けた取付部材１４と、ねじ桿１２の上部外周に上記ナット１３の下方において当該ナット１３と対向しながら上下移動自在に螺着した位置決めナット２５とからなり、上記ナットは当該ナット１３の上下動に伴って上記取付部１４に結合した横架材１９の高さを調整し、上記位置決めナット２５は当該位置決めナット２５の上下動に伴って上記ねじ桿１２の下端部に差し込んだパイプ支柱１５に対して上記 ねじ桿１２の高さを調整するものである。
【００２１】
図１，図２に示すジャッキ１１，２１はねじ桿１２と、ねじ桿１２に上下移動自在に螺合したナット１３と、ナット１３の外周に設けた多孔の円盤状フランジからなる取付部材１４とから構成されている点で両者は共通している。
【００２２】
図１に示すジャッキ１１は図３に示すように支保工Ａの下端に配設され、図２に示すジャッキ２１は同じく図３に示す支保工Ａの上端に配設される。
【００２３】
図１のジャッキ１１は、例えば枠組足場を構成する支柱その他同様の構造物の下端に設けてもよい。
【００２４】
図３に示す支保工Ａは多数の単一パイプを上下方向に継足した複数の支柱１５，…と、各支柱１５同志を結合した横材たる枠体１６，１７とで構成され、各支柱１５の下端を下方のジャッキ１１に高さ調整自在に差し込み、同じく各支柱１５の上端に上方のジャッキ２１を高さ調整自在に差し込んでいる。
【００２５】
隣接する下方のジャッキ１１同志には、パイプ等からなる横架材１８を架設して補強することにより各支柱１５に対する滑りを防止し、偏荷重を受けても各支柱１５が変形したり、ゆがんだりするのを防止している。
【００２６】
上方の各ジャッキ２１同志には同じく水平材もしくは斜材たるパイプからなる横架材１９が架設されて、各支柱１５を補強している。
【００２７】
上方のジャッキ２１は、上端に大引き受け２０を備え、この大引き受け２０が大引き２１を支え、構造物２２からの荷重を大引き受け２０を介して担持している。
【００２８】
図１に示すジャッキ１１は、ねじ桿１２の下端にベースプレート２３を設け、ねじ桿１２の上部にはハンドル２４を備えた位置決めナット２５を螺合させている。
【００２９】
ベースプレート２３は図３に示すように地上又は地上に設けた土台上に固定される。ねじ桿１２の上部には図３に示す支柱１５の下部が挿入され、ハンドル２４の操作でナット２５を回動して上下方向に移動することによりナッ２５の上面に当接する支柱１５の高さを調整してその位置を規制している。
【００３０】
取付部材１４は図４に示す他の実施の形態と同じように、円盤状のフランジ１４と、フランジ１４に円周方向に沿って形成した多数の取付孔２７とで構成されている。図１のフランジ１４にはハンドルが付いていないが、図４の他の実施の形態ではフランジ２６の外周に水平方向に向けてハンドル２８を設け、このハンドル２８を介してフランジ２６を回動させながらフランジ２８を任意の高さまで上下動させるものである。
【００３１】
図１のフランジ２６の場合は直接このフランジ２６を回動させて高さ調整するものである。
【００３２】
横架材１８は端部に二又状のシュー２９と、このシュー２９の縦方向の孔に差し込まれた楔３０とを備え、シュー２９をフランジ２６に差し込んだ後にシュー２９の孔とフランジ２６の取付孔２７とに楔３０を差し込むことによりフランジ２６に横架材１８を着脱自在に連結している。
【００３３】
図２に示す他の実施の形態に係るジャッキ２１はすでに述べたように、ねじ桿１２の上端に二又状の大引き受け２０を設け、ねじ桿１２の下部にハンドル２４を備えた位置決めナット２５が上下移動自在に螺合されている。
【００３４】
ねじ桿１２の下部は、図３に示すように支柱１５の上端に挿入され、ナット２５の下面を支柱１５の上端に当接すると共に位置決めナット２５を上下動させることによりねじ桿１２の高さ、即ちジャッキ２１の高さを調整して位置決めを行うようになっている。
【００３５】
斜材たる横架材１９の端部には、シュー２９の取付部２９ａがピン３１を介して揺動自在に結合され、シュー２９はフランジ２６に着脱自在に取付けられている。フランジ２６からなる取付部材１４とシュー２９と楔３０の構造は図４に示すものと同じである。フランジ２６には、図４と同じくハンドル２８を設けてもよい。
【００３６】
上記図１，図２，図４のフランジ２６は多数の取付孔２７を形成しているが、この取付孔２７に代えて環状の蟻溝を設けてもよい。この場合には横架材１８，１９の端部は蟻溝に引掛ける爪等が使用される。
【００３７】
図５は本発明の他の実施の形態に係り、これは取付部材１４としてソケット３２が使用されている。
【００３８】
即ち、ナット１３の外周に切欠き３３を備えて筒状のソケット３２を円周方向に沿って複数、例えば４つ取付けたものである。この場合には横架材１８の端部にはソケット３２内に着脱自在に挿入される楔状の爪その他の引掛部材３４が設けられる。
【００３９】
その他の構造，作用は図１，図２，図４のものと同じである。
【００４０】
【発明の効果】
本発明によれば、次の効果がある。
【００４１】
１  請求項１の発明によれば、ねじ桿に上方の位置決めナットと下方の横架材取付用のナットとを設けているから上方の位置決めナットでねじ桿に対してパイプ支柱の高さを調整でき、下方のナットで取付部材を介して横架材の高さを調整できる。
さらに、ナットに取付部材が設けられているから、取付部材を介して横架材が取付けできる。
この為、ナットを上下動させることにより横架材の取付位置が任意に調整され、ねじ桿の端部近く、いいかえればジャッキ自体が担持する構造物の荷重受け点近くに横架材を架設でき、これによりねじ桿に差し込んだパイプ支柱の滑り、変形、ねじれの発生がより確実に防止され、支柱により組付けられた枠組足場や支保工の安定化が図れる。
【００４２】
２  請求項２の発明によれば、ねじ桿に下方の位置決めナットと上方の横架材取付用のナットとを設けているから下方の位置決めナットでねじ桿に差し込んだパイプ支柱に対して、ねじ桿の高さを調整でき、上方のナットで取付部材を介して横架材の高さを調整できる。
さらに、各請求項の発明によれば、横架材が取付部材を介しナットに結合できるから横架材の軸芯がナットの軸芯、即ちねじ桿とねじ桿に差し込んだパイプ支柱の軸芯と直交するから組付けたパイプ支柱と横架材のバランスが良く，枠組足場，支保工の安定化が図れる。
【図面の簡単な説明】
【図１】本発明の一実施の形態に係るジャッキの正面図である。
【図２】他の実施の形態に係るジャッキの正面図である。
【図３】図１，図２のジャッキを使用した支保工の正面図である。
【図４】他の実施の形態に係るジャッキの斜視図である。
【図５】他の実施の形態に係るジャッキの斜視図である。
【図６】従来のジャッキの正面図である。
【図７】図６の平面図である。
【符号の説明】
１２  ねじ桿
１３  ナット
１４  取付部材
１５  支柱
２０  大引き受け
２３  ベースプレート
２５  位置決めナット
２６  フランジ
２７  取付孔
２８  ハンドル
３２  ソケット
【図１】
0004053153.tif 000002
【図２】
0004053153.tif 000003
【図３】
0004053153.tif 000004
【図４】
0004053153.tif 000005
【図５】
0004053153.tif 000006
【図６】
0004053153.tif 000007
【図７】
0004053153.tif 000008